(57)【要約】      （修正有）【課題】環境気流を同伴し、空気流の流量及び流速を増加させることができる送風機を提供する。【解決手段】送風機は、基部上に設置されるノズル１２Ａを備え、ノズルは、基部が放出する空気流を直接受け取るノズル空気流入口１２１Ａと、第一壁面１２４Ａと、第一壁面と並列に組み合わされた隙間によりノズル空気流出口１２２Ａを形成する第二壁面１２５Ａと、コアンダ効果を利用し、空気流を導引するコアンダ面１２６Ａとを含む。【選択図】図３
0003213020.tif 000002
【実用新案登録請求の範囲】
【請求項１】
空気流の流通を加速させる送風機であって、
空気流を放出する基部と、
前記基部上に設置され、吸入する空気流の範囲を拡大するノズルとを備え、
前記ノズルは、
前記ノズル上に設置される開口部であり、基部が放出する空気流を直接受け取るノズル空気流入口と、
第一壁面と、
前記第一壁面と並列に組み合わされる第二壁面と、
前記第一壁面及び前記第二壁面が並列に組み合わされる一端に設置される第一壁面端と、
前記第一壁面及び前記第二壁面が並列に組み合わされるもう一端に設置される第二壁面端と、
前記第一壁面及び前記第二壁面が一方向へ延伸し並列に組み合わさった壁面の外縁である第一壁面外縁と、
前記第一壁面及び前記第二壁面がもう一方向へ延伸し並列に組み合わさった壁面の外縁であり、空気流を放出するノズル空気流出口を有する第二壁面外縁と、
コアンダ効果を利用し空気流を導引するコアンダ面とを含み、
前記第一壁面は前記第二壁面外縁の一方で折り曲げられ、前記第二壁面は前記第二壁面外縁の一方で内側へ折り曲げられ封鎖面を形成しまたは外側へ折り曲げられ、前記第一壁面及び前記第二壁面の折り曲げられた部分の間にはノズル空気流出口が形成され、
前記コアンダ面は前記ノズル空気流出口に近接して設置されることを特徴とする送風機。
【請求項２】
前記第一壁面端及び前記第二壁面端は両端が互いに近づくように延設されノズル内部空気流通路を形成し、またはそれぞれ閉合し、空気流が前記第一壁面端及び前記第二壁面端から流出するのを阻止することを特徴とする請求項１に記載の送風機。
【請求項３】
前記ノズル内部空気流通路は環状の空間であることを特徴とする請求項２に記載の送風機。
【請求項４】
前記第一壁面端及び前記第二壁面端は直接接合し前記環状の空間を形成し、空気流が流出するのを阻止することを特徴とする請求項３に記載の送風機。
【請求項５】
前記基部は、
前記基部内に設置される内部ファンと、
前記内部ファンの一方に設置され、吸入される空気流の入口となる基部空気流入口と、
前記内部ファンのもう一方に設置される基部空気流出口とを含み、
前記内部ファンは空気流を直接前記基部空気流出口へ放出することを特徴とする請求項１に記載の送風機。
【請求項６】
前記内部ファンはシロッコファン、インペラファンまたは軸流ファンフラットファンであることを特徴とする請求項5に記載の送風機。
【請求項７】
前記ノズル空気流出口はテーパー状の開口部であることを特徴とする請求項１に記載の送風機。
【請求項８】
前記ノズルは、前記第一壁面端が閉合して空気流が流出するのを阻止する第一閉合面と、前記第二壁面端が閉合して空気流が流出するのを阻止する第二閉合面とを有することを特徴とする請求項１に記載の送風機。
【請求項９】
前記第一壁面端及び前記第二壁面端の前記第二壁面外縁側の間に設置され、空気流が流出するのを阻止する第三壁面を有することを特徴とする請求項１に記載の送風機。
【請求項１０】
前記基部の内側に１または複数設置されるフィルタを有することを特徴とする請求項１に記載の送風機。
【考案の詳細な説明】
【技術分野】
【０００１】
本考案は、送風機に関し、より詳しくは、羽根無しの送風機、特に、環境気流を同伴し、最後に放出される空気流全体の流量を増量させる送風機に関する。
【背景技術】
【０００２】
一般的な送風機は羽根があるため、光を阻害する、洗浄が容易でない、携帯に適さない、車上で使用するには場所を取りすぎるといった問題がある。
【０００３】
米国特許第２，４８８，４６７号では既知の羽根無しの送風機が開示されているが、コアンダ面が無く、コアンダ効果を得ることができないため、環境気流を同伴することが難しく、最後に放出される空気流全体の流量を増量させ難い問題がある。
【０００４】
一般的な空気清浄機は、空気流の出口にコアンダ面が無く、コアンダ効果を得ることができないため、環境気流を同伴することが難しく、最後に放出される空気流全体の流量が減少してしまう問題がある。
【考案の概要】
【考案が解決しようとする課題】
【０００５】
そこで、本考案は、既知の羽根無しの送風機や空気清浄機がコアンダ効果を得ることができないため、環境気流を同伴することが難しく、最後に放出される空気流全体の流量が減少してしまう問題を解決することを課題とする。
【課題を解決するための手段】
【０００６】
上記課題を解決するための、本考案の特徴及び長所を体現する実施例はこの後の明細書内で詳細に説明するが、本考案は、本考案の範囲を逸脱することなく、様々な実施形態及び変形が可能とされるものである。これらは本考案の範囲内であり、明細書及び図面は本考案を説明するためのものであり、本考案の範囲を限定するものではない。
【０００７】
本考案によれば、空気流の流通を加速させる送風機であって、
空気流を放出する基部と、
前記基部上に設置され、吸入する空気流の範囲を拡大するノズルとを備え、
前記ノズルは、
前記ノズル上に設置される開口部であり、基部が放出する空気流を直接受け取るノズル空気流入口と、
第一壁面と、
前記第一壁面と並列に組み合わされる第二壁面と、
前記第一壁面及び前記第二壁面が並列に組み合わされる一端に設置される第一壁面端と、
前記第一壁面及び前記第二壁面が並列に組み合わされるもう一端に設置される第二壁面端と、
前記第一壁面及び前記第二壁面が一方向へ延伸し並列に組み合わさった壁面の外縁である第一壁面外縁と、
前記第一壁面及び前記第二壁面がもう一方向へ延伸し並列に組み合わさった壁面の外縁であり、空気流を放出するノズル空気流出口を有する第二壁面外縁と、
コアンダ効果を利用し空気流を導引するコアンダ面とを含み、
前記第一壁面は前記第二壁面外縁の一方で折り曲げられ、前記第二壁面は前記第二壁面外縁の一方で内側へ折り曲げられ封鎖面を形成しまたは外側へ折り曲げられ、前記第一壁面及び前記第二壁面の折り曲げられた部分の間にはノズル空気流出口が形成され、
前記コアンダ面は前記ノズル空気流出口に近接して設置されることを特徴とする送風機が提供される。
【０００８】
さらに、前記第一壁面端及び前記第二壁面端は両端が互いに近づいて繋がるように延設されノズル内部空気流通路を形成し、またはそれぞれ閉合し、空気流が前記第一壁面端及び前記第二壁面端から流出するのを阻止することが好ましい。
【０００９】
さらに、前記ノズル内部空気流通路は環状の空間であることが好ましい。
【００１０】
さらに、前記第一壁面端及び前記第二壁面端は直接接合し前記環状の空間を形成し、空気流が流出するのを阻止することが好ましい。
【００１１】
さらに、
前記基部は、
前記基部内に設置される内部ファンと、
前記内部ファンの一方に設置され、吸入される空気流の入口となる基部空気流入口と、
前記内部ファンのもう一方に設置される基部空気流出口とを含み、
前記内部ファンは空気流を直接前記基部空気流出口へ放出することが好ましい。
【００１２】
さらに、前記内部ファンはシロッコファン、インペラファンまたは軸流ファンフラットファンであることが好ましい。
【００１３】
さらに、前記ノズル空気流出口はテーパー状の開口部であることが好ましい。
【００１４】
さらに、前記ノズルは、前記第一壁面端が閉合して空気流が流出するのを阻止する第一閉合面と、前記第二壁面端が閉合して空気流が流出するのを阻止する第二閉合面とを有することが好ましい。
【００１５】
さらに、前記第一壁面端及び前記第二壁面端の前記第二壁面外縁側の間に設置され、空気流が流出するのを阻止する第三壁面を有することが好ましい。
【００１６】
さらに、前記基部の内側に１または複数設置されるフィルタを有することが好ましい。
【考案の効果】
【００１７】
本考案によれば、コアンダ面を利用することで空気流を同伴する効果を増加させ、環境気流を同伴し、空気流の流量及び流速を増加させることができる。
【００１８】
また本考案によれば、ノズル空気流出口が外側に向かって折り曲げ、または内側に向かって折り曲げることで封鎖面を形成することにより空気流の出口の大きさを圧縮し、空気流を円滑に流すことで、空気流の流量及び流速を増加させることができる。
【図面の簡単な説明】
【００１９】
【図１】本考案の実施形態に係る送風機を示す正面図である。
【図２】本考案の実施形態に係る送風機を示す部分透過図である。
【図３】本考案の実施形態に係るノズルの一例を示す説明図である。
【図４】本考案の実施形態に係るノズルの別の一例を示す説明図である。
【図５】本考案の実施形態に係るノズルの更に別の一例を示す説明図である。
【図６】本考案の別の実施形態に係る送風機を示す正面図である。
【図７】本考案の別の実施形態に係る送風機を示す部分透過図である。
【図８】本考案の更に別の実施形態に係る送風機を示す斜視図である。
【図９】本考案の更に別の実施形態に係る送風機を示す断面図である。
【図１０】本考案に係る内部ファンの一例を示す説明図である。
【図１１】本考案に係る内部ファンの別の一例を示す説明図である。
【図１２】本考案に係る内部ファンの更に別の一例を示す説明図である。
【考案を実施するための形態】
【００２０】
以下、本考案の実施例を図面に基づいて説明する。
【００２１】
本考案の実施形態に係る送風機について、図１乃至図３を用いて説明する。図１は本考案の実施形態に係る送風機を示す正面図である。図２は本考案の実施形態に係る送風機を示す部分透過図である。図３は本考案の実施形態に係るノズルの一例を示す説明図である。
【００２２】
送風機１０Ａは、空気流を放出する基部１１Ａと、ノズル１２Ａとを備える。基部１１Ａは、内部ファン１１０Ａと、基部空気流入口１１１Ａと、基部空気流出口１１２Ａと、フィルタ１３Ａとを含む。内部ファン１１０Ａは基部１１Ａ内に設置され、空気流を放出する。基部空気流入口１１１Ａは内部ファン１１０Ａの一方に設置され、吸入される空気流の入口となる。基部空気流出口１１２Ａは内部ファン１１０Ａのもう一方に設置され、放出される空気流の出口となる。フィルタ１３Ａは基部１１Ａの内側に１または複数設置される。フィルタ１３Ａは、網フィルタ、濾布、濾紙、濡らした綿フィルタ、濡らした濾布、濡らした濾紙などであり、本考案では限定しない。ノズル１２Ａは、基部１１Ａ上に設置され、ノズル１２Ａは中央面積の大部分が中空となっており、光を通過させ、空気流を流通させ、吸入する空気流の範囲を拡大する。ノズル１２Ａは、ノズル空気流入口１２１Ａと、ノズル空気流出口１２２Ａと、ノズル内部空気流通路１２３Ａと、第一壁面１２４Ａと、第二壁面１２５Ａと、コアンダ面１２６Ａと、ディフューザ面１２７Ａとを含む。ノズル空気流入口１２１Ａはノズル１２Ａ上に設置される開口部であり、基部空気流出口１１２Ａが放出する空気流を受け取る。ノズル空気流出口１２２Ａは、空気流を放出する。ノズル内部空気流通路１２３Ａは、空気流の通り道である。第一壁面１２４Ａと第二壁面１２５Ａは並列に組み合わされる。コアンダ面１２６Ａはノズル空気流出口１２２Ａに近接して設置され、コアンダ効果を発生させ、最後に放出される空気流全体の流量を増量させる。ディフューザ面１２７Ａは空気流の流れを案内する方向へガイドする。
【００２３】
図３は本考案の送風機の実施例に係るノズル１２Ａを示す説明図である。ノズル１２Ａは基部１１Ａ上に設置され、吸入する空気流の範囲を拡大する。ノズル１２Ａの中央はそのほとんどが中空である。ノズル１２Ａは、ノズル空気流入口１２１Ａと、第一壁面１２４Ａと、第二壁面１２５Ａと、第一壁面端１３１Ａと、第二壁面端１３２Ａと、第一壁面外縁１２９Ａと、第二壁面外縁１３０Ａと、コアンダ面１２６Ａと、ディフューザ面１２７Ａと、第三壁面１２８Ａとを含む。ノズル空気流入口１２１Ａはノズル１２Ａ上に設置される開口部であり、基部１１Ａが放出する空気流を受け取る。第一壁面１２４Ａ及び第二壁面１２５Ａは並列に組み合わされる。第一壁面端１３１Ａは第一壁面１２４Ａ及び第二壁面１２５Ａが並列に組み合わされる一端に設置され、第二壁面端１３２Ａは第一壁面１２４Ａ及び第二壁面１２５Ａが並列に組み合わされるもう一端に設置される。第一壁面端１３１Ａ及び第二壁面端１３２Ａは両端が互いに近づいて繋がれるようにループ形状または折り曲げ形状で延設され、ノズル内部空気流通路１２３Ａ（環状の空間）を形成し、空気流が第一壁面端１３１Ａ及び第二壁面端１３２Ａから流出するのを阻止する。また、これによりノズルは環状の中空構造となり、中央面積の大部分が中空となることで、光を通過させ、空気流を流通させる（別の実施形態において、第一壁面端１３１Ａ及び第二壁面端１３２Ａはそれぞれ閉合し、空気流が第一壁面端１３１Ａ及び第二壁面端１３２Ａから流出するのを阻止する。）。第一壁面外縁１２９Ａは、第一壁面１２４Ａ及び第二壁面１２５Ａが一方向へ延伸し並列に組み合わさった壁面の外縁である。第二壁面外縁１３０Ａは、第一壁面１２４Ａ及び第二壁面１２５Ａがもう一方向へ延伸し並列に組み合わさった壁面の外縁であり、空気流を放出するノズル空気流出口１２２Ａを有する。第一壁面１２４Ａは第二壁面外縁１３０Ａの一方で折り曲げられ、第二壁面１２５Ａは第二壁面外縁１３０Ａの一方で内側へ折り曲げられ封鎖面を形成し、第一壁面１２４Ａ及び第二壁面１２５Ａの折り曲げられた部分の間にはノズル空気流出口１２２Ａが形成される。コアンダ面１２６Ａはノズル空気流出口１２２Ａ上に設置され、コアンダ効果を利用することで空気流を導引し、最後に放出される空気流全体の流量を増量させる。本実施形態においては、コアンダ面１２６Ａは第二壁面１２５Ａが延伸して形成され、別の実施形態においては、コアンダ面１２６Ａは第一壁面１２４Ａが延伸して形成してもよく、本考案では限定しない。ディフューザ面１２７Ａは、第一壁面１２４Ａ及び第二壁面１２５Ａが並列に折り曲げられた末端、コアンダ面１２６Ａの末端に形成され、空気流の流れを案内する方向にガイドする。第三壁面１２８Ａは第一壁面端１３１Ａ及び第二壁面端１３２Ａの第二壁面外縁１２９Ａ側の間に設置され、空気流が流出するのを阻止する。
【００２４】
本考案の実施形態に係るノズルの別の一例について、図４を用いて説明する。図４は本考案の実施形態に係るノズルの別の一例を示す説明図である。ノズル１２Ｂは基部１１Ａ上に設置され、吸入する空気流の範囲を拡大する。ノズル１２Ｂの中央はそのほとんどが中空である。ノズル１２Ｂは、ノズル空気流入口１２１Ｂと、第一壁面１２４Ｂと、第二壁面１２５Ｂと、第一壁面端１３１Ｂと、第二壁面端１３２Ｂと、第一壁面外縁１２９Ｂと、第二壁面外縁１３０Ｂと、コアンダ面１２６Ｂと、ディフューザ面１２７Ｂと、第三壁面１２８Ｂとを含む。ノズル空気流入口１２１Ｂはノズル１２Ｂ上に設置される開口部であり、基部が放出する空気流を受け取る。第一壁面１２４Ｂ及び第二壁面１２５Ｂは並列に組み合わされる。第一壁面端１３１Ｂは第一壁面１２４Ｂ及び第二壁面１２５Ｂが並列に組み合わされる一端に設置され、第二壁面端１３２Ｂは第一壁面１２４Ｂ及び第二壁面１２５Ｂが並列に組み合わされるもう一端に設置される。第一壁面端１３１Ｂ及び第二壁面端１３２Ｂは両端が互いに近づいて繋がれるようにループ形状または折り曲げ形状で延設され、前記内部空気流通路を形成し、空気流が第一壁面端１３１Ｂ及び第二壁面端１３２Ｂから流出するのを阻止する。また、これによりノズル１２Ｂは環状の中空構造となり、中央面積の大部分が中空となることで、光を通過させ、空気流を流通させる。別の実施形態において、第一壁面端１３１Ｂ及び第二壁面端１３２Ｂはそれぞれ閉合し、空気流が第一壁面端１３１Ｂ及び第二壁面端１３２Ｂから流出するのを阻止する。第一壁面外縁１２９Ｂは、第一壁面１２４Ｂ及び第二壁面１２５Ｂが一方向へ延伸し並列に組み合わさった壁面の外縁である。第二壁面外縁１３０Ｂは、第一壁面１２４Ｂ及び第二壁面１２５Ｂがもう一方向へ延伸し並列に組み合わさった壁面の外縁であり、空気流を放出するノズル空気流出口１２２Ｂを有する。第一壁面１２４Ｂは第二壁面外縁１３０Ｂの一方で折り曲げられ、第二壁面１２５Ｂは第二壁面外縁１３０Ｂの一方で外側へ折り曲げられ、第一壁面１２４Ｂ及び第二壁面１２５Ｂの折り曲げられた部分の間にはノズル空気流出口１２２Ｂが形成される。コアンダ面１２６Ｂはノズル空気流出口１２２Ｂ上に設置され、コアンダ効果を利用することで空気流を導引し、最後に放出される空気流全体の流量を増量させる。本実施形態において、コアンダ面１２６Ｂは第二壁面１２５Ｂが延伸して形成され、別の実施形態においては、コアンダ面１２６Ｂは第一壁面１２４Ｂが延伸して形成してもよく、本考案では限定しない。ディフューザ面１２７Ｂは、第一壁面１２４Ｂ及び第二壁面１２５Ｂが並列に折り曲げられた末端、コアンダ面１２６Ｂの末端に形成され、空気流の流れを案内する方向へガイドする。第三壁面１２８Ｂは第一壁面端１３１Ｂ及び第二壁面端１３２Ｂの第二壁面外縁１２９Ｂ側の間に設置され、空気流が流出するのを阻止する。本実施例においては、空気流はノズル内部空気流通路１２３Ｂに滞留し乱流となり空気流が円滑に流れるのを妨げることがない。
【００２５】
本考案の実施形態に係るノズルの更に別の一例について、図５を用いて説明する。図５は本考案の実施形態に係るノズルの更に別の一例を示す説明図である。ノズル１２Ｃは基部上に設置され、吸入する空気流の範囲を拡大する。ノズル１２Ｃの中央はそのほとんどが中空である。ノズル１２Ｃは、ノズル空気流入口１２１Ｃと、第一壁面１２４Ｃと、第二壁面１２５Ｃと、第一壁面端１３１Ｃと、第二壁面端１３２Ｃと、第一壁面外縁１２９Ｃと、第二壁面外縁１３０Ｃと、コアンダ面１２６Ｃと、ディフューザ面１２７Ｃとを含む。ノズル空気流入口１２１Ｃはノズル１２Ｃの第一壁面外縁１２９Ｃ上に設置される開口部であり、基部が放出する空気流を受け取る。第一壁面１２４Ｃ及び第二壁面１２５Ｃは並列に組み合わされる。第一壁面端１３１Ｃは第一壁面１２４Ｃ及び第二壁面１２５Ｃが並列に組み合わされる一端に設置され、第二壁面端１３２Ｃは第一壁面１２４Ｃ及び第二壁面１２５Ｃが並列に組み合わされるもう一端に設置される。第一壁面端１３１Ｃ及び第二壁面端１３２Ｃは両端が互いに近づいて繋がるようにループ形状または折り曲げ形状で延設され、前記内部空気流通路を形成し、空気流が第一壁面端１３１Ｃ及び第二壁面端１３２Ｃから流出するのを阻止する。また、これによりノズル１２Ｃは環状の中空構造となり、中央面積の大部分が中空となることで、光を通過させ、空気流を流通させる。別の実施形態において、第一壁面端１３１Ｃ及び第二壁面端１３２Ｃはそれぞれ閉合し、空気流が第一壁面端１３１Ｃ及び第二壁面端１３２Ｃから流出するのを阻止する。第一壁面外縁１２９Ｃは、第一壁面１２４Ｃ及び第二壁面１２５Ｃが一方向へ延伸した壁面の外縁であり、ノズル空気流入口１２１Ｃは第一壁面外縁１２９Ｃ上に位置する。第二壁面外縁１３０Ｃは、第一壁面１２４Ｃ及び第二壁面１２５Ｃがもう一方向へ延伸し並列に組み合わさった壁面の外縁であり、空気流を放出するノズル空気流出口１２２Ｃを有する。第一壁面１２４Ｃは第二壁面外縁１３０Ｃの一方で折り曲げられ、第二壁面１２５Ｃは第二壁面外縁１３０Ｃの一方で外側へ折り曲げられ、第一壁面１２４Ｃ及び第二壁面１２５Ｃの折り曲げられた部分の間にはノズル空気流出口１２２Ｃが形成される。コアンダ面１２６Ｃはノズル空気流出口１２２Ｃ上に設置され、コアンダ効果を利用することで空気流を導引し、最後に放出される空気流全体の流量を増量させる。本実施形態において、コアンダ面１２６Ｃは第二壁面１２５Ｃが延伸して形成され、別の実施形態においては、コアンダ面１２６Ｃは第一壁面１２４Ｃが延伸して形成してもよく、本考案では限定しない。ディフューザ面１２７Ｃは、第一壁面１２４Ｃ及び第二壁面１２５Ｃが並列に折り曲げられた末端、コアンダ面１２６Ｃの末端に形成され、空気流の流れを案内する方向へガイドする。本実施例においては、空気流は第一壁面外縁１２９Ｃの位置から進入する。
【００２６】
本考案の別の実施形態に係る送風機について、図６乃至図７を用いて説明する。図６は本考案の別の実施形態に係る送風機を示す正面図である。図７は本考案の別の実施形態に係る送風機を示す部分透過図である。
【００２７】
送風機１０Ｄは、空気流を放出する基部１１Ｄと、ノズル１２Ｄとを備える。基部１１Ｄは、内部ファン１１０Ｄと、基部空気流入口１１１Ｄと、基部空気流出口１１２Ｄと、フィルタ１３Ｄとを含む。内部ファン１１０Ｄは基部１１Ｄ内に設置され、空気流を放出する。基部空気流入口１１１Ｄは内部ファン１１０Ｄの一方に設置され、吸入される空気流の入口となる。基部空気流出口１１２Ｄは内部ファン１１０Ｄのもう一方に設置され、放出される空気流の出口となる。フィルタ１３Ｄは基部１１Ｄの内側に１または複数設置される。フィルタ１３Ｄは、網フィルタ、濾布、濾紙、濡らした綿フィルタ、濡らした濾布、濡らした濾紙などであり、本考案では限定しない。ノズル１２Ｄは、基部１１Ｄ上に設置され、ノズル１２Ｄは中央面積の大部分が中空となっており、光を通過させ、空気流を流通させ、吸入する空気流の範囲を拡大する。ノズル１２Ｄは、ノズル空気流入口１２１Ｄと、ノズル空気流出口１２２Ｄと、第一壁面１２４Ｄと、第二壁面１２５Ｄと、第一壁面端１３１Ｄと、第二壁面端１３２Ｄ、コアンダ面１２６Ｄと、ディフューザ面１２７Ｄとを含む。ノズル空気流入口１２１Ｄはノズル１２Ｄ上に設置される開口部であり、基部空気流出口１１２Ｄが放出する空気流を受け取る。ノズル空気流出口１２２Ｄは、空気流を放出する。ノズル内部空気流通路は、環状の空間であり、空気流の通り道である。第一壁面１２４Ｄと第二壁面１２５Ｄは並列に組み合わされる。第一壁面端１３１Ｄは第一壁面１２４Ｄ及び第二壁面１２５Ｄが並列に組み合わされる一端に設置され、第一壁面端１３１Ｄは閉合して第一閉合面を形成し、空気流が第一壁面端１３１Ｄから流出するのを阻止する。第二壁面端１３２Ｄは第一壁面１２４Ｄ及び第二壁面１２５Ｄが並列に組み合わされるもう一端に設置される。第二壁面端１３２Ｄは閉合して第二閉合面を形成し、空気流が第二壁面端１３２Ｄから流出するのを阻止する。コアンダ面１２６Ｄはノズル空気流出口１２２Ｄに近接して設置され、コアンダ効果を発生させ、最後に放出される空気流全体の流量を増量させる。ディフューザ面１２７Ｄは空気流の流れを案内する方向へガイドする。本実施例において、第一壁面端１３１Ｄ及び第二壁面端１３２Ｄはそれぞれ閉合し、空気流が第一壁面端１３１Ｄ及び第二壁面端１３２Ｄから流出するのを阻止する。
【００２８】
本考案の更に別の実施形態に係る送風機について、図８乃至図９を用いて説明する。図８は本考案の更に別の実施形態に係る送風機を示す斜視図である。図９は本考案の更に別の実施形態に係る送風機を示す断面図である。
【００２９】
本実施例は平型の送風機である。送風機１０Ｆは、空気流を放出する基部１１Ｆと、ノズル１２Ｆとを備える。基部１１Ｆは、内部ファン１１０Ｆと、基部空気流入口１１１Ｆと、基部空気流出口１１２Ｆと、フィルタ１３Ｆとを含む。内部ファン１１０Ｆは基部１１Ｆ内に設置され、空気流を放出する。基部空気流入口１１１Ｆは内部ファン１１０Ｆの一方に設置され、吸入される空気流の入口となる。基部空気流出口１１２Ｆは内部ファン１１０Ｆのもう一方に設置され、放出される空気流の出口となる。フィルタ１３Ｆは基部１１Ｆの内側に１または複数設置される。フィルタ１３Ｆは、網フィルタ、濾布、濾紙、濡らした綿フィルタ、濡らした濾布、濡らした濾紙などであり、本考案では限定しない。ノズル１２Ｆは、基部１１Ｆ上に設置され、ノズル１２Ｆは中央面積の大部分が中空となっており、光を通過させ、空気流を流通させ、吸入する空気流の範囲を拡大する。ノズル１２Ｆは、ノズル空気流入口１２１Ｆと、ノズル空気流出口１２２Ｆと、ノズル内部空気流通路１２３Ｆと、第一壁面１２４Ｆと、第二壁面１２５Ｆと、第一壁面端１３１Ｆと、第二壁面端１３２Ｆと、コアンダ面１２６Ｆと、ディフューザ面１２７Ｆとを含む。ノズル空気流入口１２１Ｆはノズル１２Ｆ上に設置される開口部であり、基部空気流出口１１２Ｆが放出する空気流を受け取る。ノズル空気流出口１２２Ｆはテーパー状の開口部であり、空気流を放出する。ノズル内部空気流通路１２３Ｆは、空気流の通り道である。第一壁面１２４Ｆと第二壁面１２５Ｆは並列に組み合わされる。第一壁面端１３１Ｆは第一壁面１２４Ｆ及び第二壁面１２５Ｆが並列に組み合わされる一端に設置され、第一壁面端１３１Ｆは閉合して第一閉合面を形成し、空気流が第一壁面端１３１Ｆから流出するのを阻止する。第二壁面端１３２Ｆは第一壁面１２４Ｆ及び第二壁面１２５Ｆが並列に組み合わされるもう一端に設置され、第二壁面端１３２Ｆは閉合して第二閉合面を形成し、空気流が第二壁面端１３２Ｆから流出するのを阻止する。コアンダ面１２６Ｆはノズル空気流出口１２２Ｆに近接して設置され、コアンダ効果を発生させ、最後に放出される空気流全体の流量を増量させる。ディフューザ面１２７Ｆは空気流の流れを案内方向へガイドする。本実施例においては、空気流出口が直線型の平型送風機であり、単一の直線型の空気流出口により送風機ノズルの体積が小さくなり、送風機の携帯性と利便性を向上させることが可能である。
【００３０】
ここからは、本考案の内部ファンの異なる実施形態について説明する。
【００３１】
図１０は本考案に係る内部ファンの一例を示す説明図である。
【００３２】
本実施形態に示す前記内部ファンは、空気流を吸入及び放出するためのインペラファン１１３Ａである。インペラファン１１３Ａは、インペラファン空気流出口１１４Ａと、インペラファン空気流入口１１５Ａと、インペラファン動翼１１６Ａと、インペラファンモーター１１７Ａとを含む。インペラファン動翼１１６Ａは渦巻き状であり、空気流を中心に引き込み、インペラファン空気流出口１１４Ａへ送り出す。
【００３３】
図１１は本考案に係る内部ファンの別の一例を示す説明図である。
【００３４】
本実施形態に示す前記内部ファンは、空気流を吸入及び放出するためのシロッコファン１１３Ｂである。シロッコファン１１３Ｂは、シロッコファン空気流出口１１４Ｂと、シロッコファン空気流入口１１５Ｂと、シロッコファン動翼１１６Ｂと、シロッコファンモーター１１７Ｂとを含む。シロッコファン動翼１１６Ｂは湾曲面を有し、空気流を中心に引き込み、シロッコファン空気流出口１１４Ｂへ送り出す。
【００３５】
図１２は本考案に係る内部ファンの更に別の一例を示す説明図である。
【００３６】
本実施形態に示す前記内部ファンは、空気流を吸入及び放出するための軸流ファン１１３Ｃである。軸流ファン１１３Ｃは、軸流ファン空気流出口１１４Ｃと、軸流ファン空気流入口１１５Ｃと、軸流ファン動翼１１６Ｃと、軸流ファンモーター１１７Ｃとを含む。軸流ファン１１３Ｃは前方（軸流ファン空気流入口１１５Ｃ）の空気流を引き込んだ後、軸流ファン１１３Ｃの後方（軸流ファン空気流出口１１４Ｃ）へ送り出すことで空気流を流す。
【００３７】
本考案の送風機は、一般的な羽根あり送風機の、光を阻害する、洗浄が容易でないといった問題、コアンダ効果を得ることができない羽根無し送風機の流量が良くない問題、ディフューザ面がない羽根無し送風機の流量が良くない問題、単純に結合されたノズル全体の体積が大きすぎる問題を解決する。
【００３８】
本考案の送風機は産業上の利用性を備えている。上述において、本考案の説明の利便性のために最良の実施例を挙げて説明したが、これらの実施例は本考案の請求の範囲を限定するものではなく、本考案に基づく本考案の要旨を逸脱しないあらゆる変更は本考案の請求の範囲に含まれる。
【符号の説明】
【００３９】
１０Ａ      送風機
１１Ａ      基部
１１０Ａ    内部ファン
１１１Ａ    基部空気流入口
１１２Ａ    基部空気流出口
１３Ａ      フィルタ
１２Ａ      ノズル
１２１Ａ    ノズル空気流入口
１２２Ａ    ノズル空気流出口
１２３Ａ    ノズル内部空気流通路
１２４Ａ    第一壁面
１２５Ａ    第二壁面
１２６Ａ    コアンダ面
１２７Ａ    ディフューザ面
１２８Ａ    第三壁面
１２９Ａ    第一壁面外縁
１３０Ａ    第二壁面外縁
１３１Ａ    第一壁面端
１３２Ａ    第二壁面端
１２Ｂ      ノズル
１２１Ｂ    ノズル空気流入口
１２２Ｂ    ノズル空気流出口
１２３Ｂ    ノズル内部空気流通路
１２４Ｂ    第一壁面
１２５Ｂ    第二壁面
１２６Ｂ    コアンダ面
１２７Ｂ    ディフューザ面
１２８Ｂ    第三壁面
１２９Ｂ    第一壁面外縁
１３０Ｂ    第二壁面外縁
１３１Ｂ    第一壁面端
１３２Ｂ    第二壁面端
１２Ｃ      ノズル
１２１Ｃ    ノズル空気流入口
１２２Ｃ    ノズル空気流出口
１２４Ｃ    第一壁面
１２５Ｃ    第二壁面
１２６Ｃ    コアンダ面
１２７Ｃ    ディフューザ面
１２８Ｃ    第三壁面
１２９Ｃ    第一壁面外縁
１３０Ｃ    第二壁面外縁
１３１Ｃ    第一壁面端
１３２Ｃ    第二壁面端
１０Ｄ      送風機
１１Ｄ      基部
１１０Ｄ    内部ファン
１１１Ｄ    基部空気流入口
１１２Ｄ    基部空気流出口
１２Ｄ      ノズル
１２１Ｄ    ノズル空気流入口
１２２Ｄ    ノズル空気流出口
１２４Ｄ    第一壁面
１２５Ｄ    第二壁面
１２６Ｄ    コアンダ面
１２７Ｄ    ディフューザ面
１３Ｄ      フィルタ
１３１Ｄ    第一壁面端
１３２Ｄ    第二壁面端
１０Ｆ      送風機
１１Ｆ      基部
１１０Ｆ    内部ファン
１１１Ｆ    基部空気流入口
１１２Ｆ    基部空気流出口
１２Ｆ      ノズル
１２１Ｆ    ノズル空気流入口
１２２Ｆ    ノズル空気流出口
１２３Ｆ    ノズル内部空気流通路
１２４Ｆ    第一壁面
１２５Ｆ    第二壁面
１２６Ｆ    コアンダ面
１２７Ｆ    ディフューザ面
１３Ｆ      フィルタ
１３１Ｆ    第一壁面端
１３２Ｆ    第二壁面端
１１３Ａ    インペラファン
１１４Ａ    インペラファン空気流出口
１１５Ａ    インペラファン空気流入口
１１６Ａ    インペラファン動翼
１１７Ａ    インペラファンモーター
１１３Ｂ    シロッコファン
１１４Ｂ    シロッコファン空気流出口
１１５Ｂ    シロッコファン空気流入口
１１６Ｂ    シロッコファン動翼
１１７Ｂ    シロッコファンモーター
１１３Ｃ    軸流ファン
１１４Ｃ    軸流ファン空気流出口
１１５Ｃ    軸流ファン空気流入口
１１６Ｃ    軸流ファン動翼
１１７Ｃ    軸流ファンモーター
【図１】
0003213020.tif 000003
【図２】
0003213020.tif 000004
【図３】
0003213020.tif 000005
【図４】
0003213020.tif 000006
【図５】
0003213020.tif 000007
【図６】
0003213020.tif 000008
【図７】
0003213020.tif 000009
【図８】
0003213020.tif 000010
【図９】
0003213020.tif 000011
【図１０】
0003213020.tif 000012
【図１１】
0003213020.tif 000013
【図１２】
0003213020.tif 000014